(57)【特許請求の範囲】
【請求項１】
ヒンジ部により連結してこのヒンジ部を支点に折り曲げて夫々の内面が接合しカバーケースを形成する第１カバー部及び第２カバー部と、
前記第１カバー部及び第２カバー部の夫々の前記内面より外側に突出して形成され、前記第１カバー部及び第２カバー部の内面が接合する際に被包装物を収納する空間を形成する第１窪み及び第２窪みと、
前記ヒンジ部の反対側である前記カバーケースの先端側に、前記第１カバー部と前記第２カバー部とを係止するダボ止めと、
を備えたブリスタ容器であって、
前記第１窪み及び第２窪みは、夫々前記ヒンジ部側を底辺とする略台形の窪み形状を成す第１スタンド部及び第２スタンド部であって、前記底辺側の底部に前記外側に突出する複数の膨らみを夫々設け、この膨らみで前記カバーケースを支持する第１スタンド部及び第２スタンド部を有し、
前記第１窪み及び／又は第２窪みは、前記被包装物の周縁部分に係合して保持する保持用縁部と、この保持用縁部より凹状に形成され前記被包装物に係合しない非係合凹部と、を有する
ことを特徴とするブリスタ容器。
【請求項２】
前記第１カバー部及び第２カバー部の前記先端側に夫々突起部を更に設け、これらの突起部が前記接合時に隣接しかつ互いに重ならずに口金状に配設されていることを特徴とする請求項１記載のブリスタ容器。
【請求項３】
前記ダボ止めと前記突起部は、互いに隔たって配設されていることを特徴とする請求項２記載のブリスタ容器。
【請求項４】
前記第１カバー部と前記第２カバー部との夫々の前記内面間に挟む台紙を更に有し、前記ダボ止めは、前記台紙に設けたダボ止め用孔を介して前記第１カバー部と前記第２カバー部とを係止することを特徴とする請求項１から請求項３のいずれかに記載のブリスタ容器。
【発明の詳細な説明】
【０００１】
【発明の属する技術分野】
本発明は、被包装物をブリスタパッケージで包装しそのまま店頭に展示できるブリスタ容器に関する。
【０００２】
【従来の技術】
商品（被包装物）をブリスタパッケージと呼ばれる包装方式で包装しそのまま店頭に展示できるブリスタ容器がある。これは透明なプラスチックシートに商品を収容する窪みを成形し、この窪みを用いて商品を包装するものである。
【０００３】
このブリスタ容器は、商品が透明なプラスチックシートを介して透けて見えるのでそのまま店頭に展示できるといった利点があり、このブリスタ容器に関する技術は、従来より、特開平６−２９８２７５号公報、特開平１１−１０５９５９号公報、登録実用新案第３０３５５５７号等、複数提案されている。
【０００４】
例えば、特開平６−２９８２７５号公報の吊り下げ式ブリスタパックは、ブリスタパックの外周部に凹凸の嵌合部を設け、ヒンジ部支点を中心としてブリスタ部を重ね合わせ凹部と凸部を嵌合させる構造である。また、ヒンジ部と反対側のブリスタ部に折り曲げ部を設けた台紙を挟み、この台紙に吊り下げ用孔を設けて吊り下げ式ブリスタパックとしたものである。
【０００５】
また、特開平１１−１０５９５９号公報の包装容器は、被包装物を収容するケース部材が凸部凹部によって互いに嵌合する構成であり、この凸部凹部に被包装物を収容する空所が形成されている。また、台紙に吊り下げ用孔と凸部に対応する開口縁が設けられ、この開口縁に凸部を係合させて台紙をケース部材に挟み込みむ包装容器としたものである。
【０００６】
更に、登録実用新案第３０３５５５７号の包装体は、商品の配置個所の周囲に複数の通孔を設けた台紙と、商品を収容する窪みを設けたカバー部に台紙の通孔を貫通する複数の凸部とこの複数の凸部に嵌合する複数の凹部とを設けてカバー部同士を接続して包装体としたものである。なお、この台紙にも吊下孔を設けて包装体を吊り下げ可能としている。
【０００７】
【発明が解決しようとする課題】
しかし、従来のブリスタ容器には以下に示す問題点がある。
(1) 上記のブリスタ容器は何れもフック等に吊り下げて展示するものであり、展示場にフックが無ければ、棚に横積みする他はない。そして、棚に横積みした場合は、商品としての訴求効果が著しく劣ってしまう。なお、ブリスタ容器の片側に突っ支い棒を当ててブリスタ容器を立て掛けることも考えられるが、突っ支い棒をから側に立てた場合、安定性が悪く少しの振動でも倒れることがある。また、ブリスタ容器の両側に突っ支い棒を当てたのでは美観上、訴求効果が著しく劣ってしまう。
【０００８】
(2) 上記のブリスタ容器は何れも商品を収容する窪みの周囲に凹凸部を設け、この周囲の凹凸部を嵌合させることで商品及び台紙を挟み込むものであるが、この周囲の凹凸部を嵌合するだけでは、閉塞安定性に不安がある。しかし、ブリスタ容器をホッチキスや接着剤で係止したのでは、包装時にも開封時にも手間がかかる。
【０００９】
(3) 従来のブリスタ容器では、商品を収容する窪み形状が商品形状を倣った形状となっているので、窪み内面と商品との接触面が多く、商品を傷つける恐れがある。なお、単に接触面を少なくしただけでは商品が動いてしまい、保持性が悪くなってしまう。
【００１０】
以上から本発明は、前記問題点に鑑みなされたものであり、商品棚に安定して立て掛けることができるブリスタ容器を提供することを技術的課題とする。
また、本発明は、容器の閉塞安定性があり、かつ包装時にも開封時にも手間がかからないブリスタ容器を提供することを技術的課題とする。
更に、本発明は、被包装物を傷つけることなく、被包装物を窪み内に保持できるブリスタ容器を提供することを技術的課題とする。
【００１１】
【課題を解決するための手段】
上記課題を達成するために本発明のブリスタ容器は、次の手段を採用した。
すなわち、本発明のブリスタ容器は、ヒンジ部により連結してこのヒンジ部を支点に折り曲げて夫々の内面が接合しカバーケースを形成する第１カバー部及び第２カバー部と、前記第１カバー部及び第２カバー部の夫々の前記内面より外側に突出して形成され、前記第１カバー部及び第２カバー部の内面が接合する際に被包装物を収納する空間を形成する第１窪み及び第２窪みと、を備えたブリスタ容器であって、前記第１窪み及び第２窪みは、夫々前記ヒンジ部側を底辺とする略台形の窪み形状を成す第１スタンド部及び第２スタンド部を有することを特徴とする。
【００１２】
この構成によれば、第１窪み及び第２窪みで形成する空間に被包装物を収納すると共に、この収納空間の下方（ヒンジ部側）に第１スタンド部及び第２スタンド部を設けたことで、ブリスタ容器を商品棚に立て掛けた場合、カバーケースの前後両側からスタンド部で被包装物収納空間を支えることができ、重心がブリスタ容器のほぼ中心線上に位置する状態を保てるので安定して棚に置くことができる。
【００１３】
また、本発明のブリスタ容器において、前記第１スタンド部及び第２スタンド部は前記底辺側の底部に前記外側に突出する複数の膨らみを夫々設け、この膨らみで前記カバーケースを支持する構成のものを例示できる。この例示によれば、商品棚との接触が膨らみによる点接触になるので、面接触の場合に生じる滑りを少なくすることができ、更に安定して載置することができる。なお、膨らみの数は両スタンド部毎に２個ずつ計４個とし、夫々各スタンド部の隅部に配置することが好ましい。また、膨らみの形状は球面状のものよりは、蒲鉾状のものが好ましい。
【００１４】
更に、本発明のブリスタ容器は、ヒンジ部により連結してこのヒンジ部を支点に折り曲げて夫々の内面が接合しカバーケースを形成する第１カバー部及び第２カバー部と、前記第１カバー部及び第２カバー部の夫々の前記内面より外側に突出して形成され、前記第１カバー部及び第２カバー部の内面が接合する際に被包装物を収納する空間を形成する第１窪み及び第２窪みと、を備えたブリスタ容器であって、前記第１カバー部と前記第２カバー部とを係止するダボ止めを前記ヒンジ部の反対側である前記カバーケースの先端側に設けたことを特徴とする。
【００１５】
この構成によれば、第１カバー部と第２カバー部とを接合した後、更にダボ止めで係止するので、カバーケースを二重に接合することができ、閉塞安定性が向上できる。また、ダボ止めは、係脱操作が容易なので、包装操作、開封操作共に手間がかからない。
【００１６】
更にまた、本発明のブリスタ容器において、前記第１カバー部及び第２カバー部の前記先端側に夫々突起部を設け、これらの突起部が前記接合時に隣接しかつ互いに重ならずに口金状に配設されている構成のものを例示できる。この例示によれば、口金状の突起部を夫々指先で離反方向に押圧することで容易に開封できるので、ダボ止めにより閉塞安定性が向上しても、開封操作がしずらくなることはない。
【００１７】
更にまた、本発明のブリスタ容器において、前記ダボ止めと前記突起部は、互いに隔たって配設されている構成のものを例示できる。この例示によれば、開封操作の際、ダボ止めが作用点、突起部が力点となるのでダボ止め（作用点）と突起部（力点）が離れている距離に比例して容易にダボ止めを離反させることができる。
【００１８】
更にまた、本発明のブリスタ容器において、前記第１カバー部と前記第２カバー部との夫々の前記内面間に挟む台紙を有し、前記ダボ止めは、前記台紙に設けたダボ止め用孔を介して前記第１カバー部と前記第２カバー部とを係止する構成のものを例示できる。この例示によれば、ダボ止め用孔を介してダボ止めすることで台紙と第１カバー部及び第２カバー部とを密着係止でき、カバーケースの保形成を向上させることができる。
【００１９】
更にまた、本発明のブリスタ容器は、ヒンジ部により連結してこのヒンジ部を支点に折り曲げて夫々の内面が接合しカバーケースを形成する第１カバー部及び第２カバー部と、前記第１カバー部及び第２カバー部の夫々の前記内面より外側に突出して形成され、前記第１カバー部及び第２カバー部の内面が接合する際に被包装物を収納する空間を形成する第１窪み及び第２窪みと、を備えたブリスタ容器であって、前記第１窪み及び／又は第２窪みは、前記被包装物の周縁部分に係合して保持する保持用縁部と、この保持用縁部より凹状に形成され前記被包装物に係合しない非係合凹部と、を有することを特徴とする。
【００２０】
この構成によれば、窪みと被包装物との係合部分は保持用縁部のみとなり、従来より被包装物との係合部分を少なくできるので、被包装物を傷つけることも少なくなる。また、被包装物の周縁部分を保持しているので、バランス良く保持することができる。
以上の各構成は、可能なかぎり互いに組み合わせることができる。
【００２１】
【発明の実施の形態】
以下、本発明の実施の形態に係るブリスタ容器を図１〜図４に基づいて詳細に説明する。
［ブリスタ容器の構造］
実施の形態に係るブリスタ容器１は、図１に示すように、ヒンジ部２９により連結してこのヒンジ部２９を支点に折り曲げて夫々の内面が接合しカバーケース２を形成する第１カバー部２１及び第２カバー部２５と、第１カバー部２１及び第２カバー部２５の夫々の前記内面より外側に突出して形成され、第１カバー部２１及び第２カバー部２５の内面が接合する際に被包装物であるコンパクト（携帯用化粧容器）Ｃを収納する空間を形成する第１窪み２３及び第２窪み２７と、を備えている。
【００２２】
また、ブリスタ容器１は、第１カバー部２１と第２カバー部２５との間に台紙３を挟んでいる。更に、ブリスタ容器１は、カバーケース２の下部方向（ヒンジ部２９近傍）の両側にスタンド部２３ｂ，２７ｂを設けている。更にまた、ブリスタ容器１は、ヒンジ部２９と反対側である先端側に懸架用孔４、ダボ止め５及び開封部６を設けている。
【００２３】
カバーケース２は、図３に示すように、第１カバー部２１及び第２カバー部２５がヒンジ部２９を介して屈曲可能であり、かつ一体的となるように形成されている。
【００２４】
第１カバー部２１は、その内面側に第２カバー部２７側へ突出する凸部２２を有している。この凸部２２の外周部分には鍔部２１ａが形成されている。また、第２カバー部２５は、その外面側に突出し内面側が凹状となる凹部２６を有している。この凹部２６の外周部分には鍔部２５ａが形成されている。そして、凹部２６及び鍔部２５ａは、凸部２２及び鍔部２１ａと対向する位置にあり、ヒンジ部２９を境に第１カバー部２１と第２カバー部２５を嵌合させた時（ブリスタ容器１が閉じた状態にある時）、凸部２２が凹部２６に嵌入し、鍔部２１ａと鍔部２５ａが密着するように形成されている。
【００２５】
そして、第１カバー部２１の第１窪み２３は、コンパクトＣの外観形状に適合するコンパクト収納部２３ａと、このコンパクト収納部２３ａの下方（ヒンジ部２９側）にあってヒンジ部２９を底辺とする略台形状の窪み形状を成す第１スタンド部２３ｂと、から構成される。また、第２カバー部２５の窪み２７も、コンパクトＣの外観形状に適合するコンパクト収納部２７ａと、このコンパクト収納部２７ａの下方（ヒンジ部２９側）にあってヒンジ部２９を底辺とする略台形状の窪み形状を成す第２スタンド部２７ｂと、から構成される。
【００２６】
第１スタンド部２３ｂは、その略台形状の底辺をなす底壁の両端に略蒲鉾状の膨らみ２３ｃ，２３ｄを２個有している。同様に、第２スタンド部２７ｂも、その略台形状の底辺をなす底壁の両端に略蒲鉾状の膨らみ２７ｃ，２７ｄを２個有している。
【００２７】
第１窪み２３の上部位及び第２窪み２７の上部位には、懸架用孔２２ａ，２６ａが穿設されており、懸架用孔２２ａ，２６ａはヒンジ部２９を境に第１カバー部２１と第２カバー部２５を嵌合させた時（ブリスタ容器１が閉じた接合状態にある時）、孔位置が一致するように形成されている。
【００２８】
また、第１窪み２３の上部位には、内面側が凹状となるダボ穴２４が形成されている。また、第２窪み２７の上部位には、内面側が凸状となるダボ２８が形成されている。そして、ダボ穴２４とダボ２８は、ヒンジ部２９を境に第１カバー部２１と第２カバー部２５を嵌合させた時（ブリスタ容器１が閉じた接合状態にある時）、ダボ２８がダボ穴２４に嵌入するように形成されている。
【００２９】
第１カバー部２１及び第２カバー部２５の両先端には、開封部６が設けられている。開封部６は、第１カバー部２１の先端に設けられた突起部２１ａと、第２カバー部２５の上端に設けられた二山部２５ａ及びその間の谷部２５ｂとから構成される。そして、突起部２１ａは、ブリスタ容器１が閉じた接合状態にある時、谷部２５ｂから覗いた位置にあり、突起部２１ａと二山部２５ａは隣接しかつ重ならない位置にある。従って、突起部２１ａと二山部２５ａの一方の山は口金状に配置されている。
【００３０】
第２窪み２７のコンパクト収納部２７ａには、コンパクトＣの周縁部分に係合して保持する保持用縁部２７ｅと、この保持用縁部２７ｅより凹状に形成されコンパクトＣに係合しない非係合凹部２７ｆと、が形成されている。非係合凹部２７ｆの凹状の深さはコンパクトＣが係合（密着）しない程度である。また、保持用縁部２７ｅはコンパクトＣを保持できるように平坦に形成されている。
【００３１】
そして、カバーケース２は透明な合成樹脂材であるＡ−ＰＥＴを用いて押圧成形により形成されている。
【００３２】
台紙３は、図２に示すように、コンパクトＣを収納する位置に開口３１が形成され、開口３１の上部（先端側）に懸架用孔３２とダボ用孔３３が形成されている。台紙３は印刷工程やコスト面を考えて通常紙製のものであり、表面３ａにコンパクトＣの商品名や性能等の説明が記載され、裏面３ｂにも取扱説明文や注意事項が記載されている。
【００３３】
［ブリスタ容器の作用］
次に、この実施の形態に係るブリスタ容器１の作用を説明する。
第２カバー部２５の凹部２６内に台紙３の表面３ａ側を上に載置し、第１カバー部２１の凸部２２を第２カバー部２５の凹部２６に嵌合させ、カバーケース２を一体的に接合してコンパクトＣの包装を完成する。このとき、第２カバー部２５のダボ２８を台紙３のダボ用孔３３に貫通してから第１カバー部２１のダボ穴２４に嵌合させる。
【００３４】
そして、この実施の形態のブリスタ容器１は、凸部２２を凹部２６に嵌合させることに加えて、ダボ２８をダボ穴２４に嵌合することで、カバーケース２を二重に接合することができ、閉塞安定性が向上する。なお、このダボ止め５は、係脱操作が容易なので、包装操作、開封操作共に手間がかからない。
【００３５】
ブリスタ容器１を開く際は、二山部２５ａを固定し、谷部２５ｂから覗く突起部２１ａを指のはらで押すといった簡単な操作で、第１カバー部２１と第２カバー部２５を分離できる。従って、開封時に、指先や爪を痛めることはない。
【００３６】
コンパクト収納部２３ａ，２７ａにコンパクトＣを入れた時、収納部内でコンパクトＣと係合する部分は保持用縁部２７ｅのみとなり、従来より、コンパクトＣの接合部分を少なくできるので、コンパクトＣを傷つけることも少なくなる。また、コンパクトＣの周縁部分のみを保持しているので、バランス良くコンパクトＣを保持することができる。
【００３７】
コンパクトＣをブリスタ容器１に収納したとき、カバーケース２が透明なＡ−ＰＥＴで形成されているので、各カバー部２１，２５から収納物（コンパクトＣ）を一目瞭然に見ることができ、購入時にコンパクトＣの色・形を吟味できるので消費者に好印象を与える。
【００３８】
また、台紙３を挟むことにより、コンパクト収納部２３ａ，２７ａを入れるところのみが透けて見えるので訴求効果が良く、美観的にも良い。更に、台紙３のダボ用孔３３を介してダボ止めすることで、台紙３と第１カバー部２１及び第２カバー部２５とを密着係止でき、台紙３が背板の機能を果たし、ケースカバー２の保形成を向上させることができる。
【００３９】
この実施の形態のブリスタ容器１は、第１及び第２スタンド部２３ｂ，２７ｂを用いて、ブリスタ容器１を商品棚に立てかけて陳列することができる。
【００４０】
また、第１及び第２スタンド部２３ｂ，２７ｂの底面に４箇所の膨らみ２３ｃ，２３ｄ，２６ｃ，２６ｄを設けたことで、ブリスタ容器１を立てかけた時、底面が面接触ではなく、４点接触となることで、面接触の場合に生じる滑りを少なくすることができ、安定して載置することができる。なお、膨らみの形状、数、配置位置は、ブリスタ容器の形状に応じより安定的に載置できるように適宜設計することができる。
【００４１】
また、このブリスタ容器１は、懸架用孔４に店舗の壁等に設けたフックを挿入して引っ掛け、展示することができる。
【００４２】
なお、この実施の形態では、第１カバー部２１に凸部２２が、第２カバー部２５に凹部２６が形成されているが、どちらのカバー部に凸部凹部が形成されていても良い。但し、凸部側にダボ穴が、凹部側にダボが形成される。要は、第１カバー部２１の凸部２２を第２カバー部２５の凹部２６に嵌合させると共に、第２カバー部２５のダボ２８を台紙３のダボ用孔３３に貫通してから第１カバー部２１のダボ穴２４に嵌合する構造であれば良い。
【００４３】
【発明の効果】
本発明によれば、第１窪み及び第２窪みで形成する空間に被包装物を収納すると共に、この収納空間の下方（ヒンジ部側）に第１スタンド部及び第２スタンド部を設けたことで、ブリスタ容器を商品棚に立て掛けた場合、カバーケースの前後両側からスタンド部で被包装物収納空間を支えることができ、重心がブリスタ容器のほぼ中心線上に位置する状態を保てるので安定して棚に置くことができる。
【００４４】
また、本発明によれば、第１カバー部と第２カバー部とを接合した後、更にダボ止めで係止するので、カバーケースを二重に接合することができ、閉塞安定性が向上できる。また、ダボ止めは、係脱操作が容易なので、包装操作、開封操作共に手間がかからない。更に、口金状の突起部を夫々指先で離反方向に押圧することで容易に開封できるので、ダボ止めにより閉塞安定性が向上しても、開封操作がしずらくなることはない。
【００４５】
更に、本発明によれば、窪みと被包装物との係合部分は保持用縁部のみとなり、従来より被包装物との係合部分を少なくできるので、被包装物を傷つけることも少なくなる。また、被包装物の周縁部分を保持しているので、バランス良く保持することができる。
【図面の簡単な説明】
【図１】本発明のブリスタ容器の外形斜視図である。
【図２】台紙の外形斜視図である。
【図３】カバーケースを開封した状態の斜視図である。
【図４】本発明のブリスタ容器を立て掛けた状態の斜視図である。
【符号の説明】
１…ブリスタ容器
２…カバーケース
３…台紙
４…懸架用孔
５…ダボ止め
６…開封部
２１…第１カバー部
２２…凸部
２３…第１窪み
２３ａ…コンパクト収納部
２３ｂ…第１スタンド部
２３ｃ，２３ｄ…膨らみ
２４…ダボ穴
２５…第２カバー部
２６…凹部
２７…第２窪み
２７ａ…コンパクト収納部
２７ｂ…第２スタンド部
２７ｃ，２７ｄ…膨らみ
２７ｅ…保持用縁部
２７ｆ…非係合凹部
２８…ダボ
２９…ヒンジ部
Ｃ…コンパクト（被包装物）
【図１】
0003914693.tif 000002
【図２】
0003914693.tif 000003
【図３】
0003914693.tif 000004
【図４】
0003914693.tif 000005